(57)【要約】【課題】配信先の条件に応じて効率よくデータファイルを配信する。【解決手段】配信先受信条件検出部１１３は、配信先の受信拒否期間を含む受信条件をユーザＩＤと対応付けた配信先受信条件リスト１１４とユーザＩＤと現時点とに基づいて、配信先へ現時点で配信すべきか否かを決定する。この検出部１１３は、配信前に配信先３０ｉから受信条件応答部３０５を介し受信条件３０４を受信してその内容で、配信先受信条件リスト１１４中の対応する受信条件を更新する。配信前に配信先から受信条件を受信できなかった場合、配信先受信条件リスト１１４中の対応する受信条件に、現時点から所定時間を受信拒否期間として追加する。受信拒否期間に現時点が含まれていても、転送先アドレスが含まれていればそこへ転送する。【選択図】図１
2011232932.tif 000002
【特許請求の範囲】
【請求項１】
受け取ったデータファイルと該データファイルに関するメタデータファイルとの組に基づいて配信先を決定するファイル配信先決定手段と、ネットワークインターフェイスと、該データファイルを、該ネットワークインターフェイスを介し該配信先へ送信するファイル配信手段と、を備えたファイル配信装置であって、
配信先の受信拒否期間を含む受信条件を配信先識別情報と対応付けた配信先受信条件リストが格納される記憶手段と、
配信先識別情報と該配信先リストと現時点とに基づいて、配信先へ現時点で配信すべきか否かを決定する配信可否決定手段と、
をさらに備え、該ファイル配信手段は、該配信可否決定手段の決定に基づいて配信時点を決定する、
ことを特徴とするファイル配信装置。
【請求項２】
該配信可否決定手段は、配信前に配信先から受信条件を受信し、該配信先受信条件リスト中の対応する受信条件を、該受信した受信条件で更新する、
ことを特徴とする請求項１に記載のファイル配信装置。
【請求項３】
該配信可否決定手段は、配信前に配信先から受信条件を受信できなかった場合、該配信先受信条件リスト中の対応する受信条件に、現時点から所定時間を受信拒否期間として追加する、
ことを特徴とする請求項１又は２に記載のファイル配信装置。
【請求項４】
該受信条件は、受信拒否期間における転送先アドレスを含み、
該配信可否決定手段は、配信先識別情報に対応する受信拒否期間に現時点が含まれると判定し、該受信拒否期間における転送先アドレスが該配信先受信条件リストに記述されている場合、該転送先アドレスへ配信すべきと決定し、
該ファイル配信手段は、該転送先アドレスへ配信先を変更する、
ことを特徴とする請求項１乃至３のいずれか１つに記載のファイル配信装置。
【請求項５】
該ファイル配信手段は、該配信可否決定手段が現時点で配信すべきでないと決定した場合に、現時点で配信せずに配信先が拒否期間であるため配信しなかったことを示す情報を配信ログに記述する、
ことを特徴とする請求項１乃至４のいずれか１つに記載のファイル配信装置。
【発明の詳細な説明】
【技術分野】
【０００１】
本発明は、ファイル配信装置に係り、特に、供給されるデータファイルと該データファイルに関する情報ファイルとの組に基づいて配信先を決定しネットワークインターフェイスを介して配信するファイル配信装置に関する。
【背景技術】
【０００２】
下記特許文献１及び２には、ユーザのパーソナルコンピュータ（ＰＣ）から画像形成装置へポーリングしてデータファイルを要求し、画像形成装置のＷｅｂサービスがこれに応答して、配信すべきデータファイルがあればこれを該ＰＣへ配信する構成が開示されている。
【先行技術文献】
【特許文献】
【０００３】
【特許文献１】特開２００４−２９７７８５号公報
【特許文献２】特開２００９−０１７５９２号公報
【発明の概要】
【発明が解決しようとする課題】
【０００４】
しかしながら、各ユーザのＰＣが画像形成装置に対し定期的にポーリングを行うので、ネットワーク上のトラフィックが増大する原因となる。これを避けるために、配信側において配信先のＰＣが通信可能であるかどうかを確かめると、通信不可の場合、配信先からの応答を一定時間待って配信可否を決定しなければならず、同一配信先へこのようなことが連続的に生ずることもある。また、通信可能であっても、受信側でユーザが見れない場合がある。
【０００５】
本発明の目的は、このような問題に鑑み、配信先の条件に応じて効率よくデータファイルを配信することが可能なファイル配信装置を提供することにある。
【課題を解決するための手段】
【０００６】
本発明の第１態様では、受け取ったデータファイルと該データファイルに関するメタデータファイルとの組に基づいて配信先を決定するファイル配信先決定手段と、ネットワークインターフェイスと、該データファイルを、該ネットワークインターフェイスを介し該配信先へ送信するファイル配信手段と、を備えたファイル配信装置であって、
配信先の受信拒否期間を含む受信条件を配信先識別情報と対応付けた配信先受信条件リストが格納される記憶手段と、
配信先識別情報と該配信先リストと現時点とに基づいて、配信先へ現時点で配信すべきか否かを決定する配信可否決定手段と、
をさらに備え、該ファイル配信手段は、該配信可否決定手段の決定に基づいて配信時点を決定する。
【０００７】
本発明によるファイル配信装置の第２態様では、第１態様において、該配信可否決定手段は、配信前に配信先から受信条件を受信し、該配信先受信条件リスト中の対応する受信条件を、該受信した受信条件で更新する。
【０００８】
本発明によるファイル配信装置の第３態様では、第１又は２態様において、該配信可否決定手段は、配信前に配信先から受信条件を受信できなかった場合、該配信先受信条件リスト中の対応する受信条件に、現時点から所定時間を受信拒否期間として追加する。
【０００９】
本発明によるファイル配信装置の第４態様では、第１乃至３態様のいずれか１つにおいて、該受信条件は、受信拒否期間における転送先アドレスを含み、
該配信可否決定手段は、配信先識別情報に対応する受信拒否期間に現時点が含まれると判定し、該受信拒否期間における転送先アドレスが該配信先受信条件リストに記述されている場合、該転送先アドレスへ配信すべきと決定し、
該ファイル配信手段は、該転送先アドレスへ配信先を変更する。
【発明の効果】
【００１０】
上記第１態様の構成によれば、配信先の受信拒否期間を含む受信条件を配信先識別情報と対応付けた配信先受信条件リストと配信先識別情報と現時点とに基づいて、配信先へ現時点で配信すべきか否かを決定するので、配信先の条件に応じて効率よくデータファイルを配信することが可能となるという効果を奏する。
【００１１】
上記第２態様の構成によれば、配信前に配信先から受信条件を受信してその内容で、該配信先受信条件リスト中の対応する受信条件を更新するので、ユーザ毎に変動する受信条件に対応可能であるという効果を奏する。
【００１２】
上記第３態様の構成によれば、配信前に配信先から受信条件を受信できなかった場合、該配信先受信条件リスト中の対応する受信条件に、現時点から所定時間を受信拒否期間として追加するので、同一配信先へのデータファイル送信が連続していても、配信失敗処理の繰り返し回数を低減することができるという効果を奏する。
【００１３】
上記第４態様の構成によれば、受信拒否期間に現時点が含まれていても転送先アドレスへ配信可能となるという効果を奏する。
【００１４】
本発明の他の目的、特徴的な構成及び効果は、以下の説明を特許請求の範囲及び図面の記載と関係づけて読むことにより明らかになる。 
【図面の簡単な説明】
【００１５】
【図１】本発明の実施例１に係る、ファイル配信装置からパーソナルコンピュータへのファイル配信に関する構成の機能ブロック図である。
【図２】図１中の配信可否決定部による処理を示すフローチャートである。
【図３】図１中の受信条件データ及び配信先受信条件リストの説明図である。
【図４】図１中の解析部の構成を示す概略ブロック図である。
【図５】図１中の振分条件／振分先対応情報の説明図である。
【図６】ユーザが画像形成装置を操作して原稿画像をスキャンさせることにより、スキャン画像を生成し、そのファイルを、ファイル配信装置を介しパーソナルコンピュータに自動配信する処理のシーケンス図である。
【図７】本発明の実施例１に係るファイル配信装置とパーソナルコンピュータとのシステムのハードウェア概略ブロック図である。
【図８】本発明の実施例１に係るファイル配信システムの概略説明図である。
【実施例１】
【００１６】
図８は、本発明の実施例１に係るファイル配信システムの概略説明図である。
【００１７】
ファイル送信を仲介するファイル配信装置１０は、送信元の画像形成装置２０と、配信先のＰＣ（パーソナルコンピュータ）３０Ａ〜３０Ｎと共に、ネットワーク４０に結合されている。画像形成装置２０からファイル配信装置１０へのファイル送信及びファイル配信装置１０からＰＣ３０Ａ〜３０Ｎのうちの１つ以上の装置へのファイル配信は、基本的に、これらのＯＳに備えられているファイル共有サービスを用いて行う。すなわち、ファイル配信先の補助記憶装置に共有フォルダを作成し、配信元でこれを操作可能にして、この共有フォルダへファイルを投入することにより、ファイルを配信する。
【００１８】
図７は、ファイル配信装置１０とＰＣ３０ｉとのファイル配信に関するハードウェア概略ブロック図である。このＰＣ３０ｉは、図８のＰＣ３０Ａ〜３０Ｎのいずれかである。
【００１９】
ファイル配信装置１０では、ＣＰＵ１１がインターフェイス１２を介してＰＲＯＭ１３、ＤＲＡＭ１４、ハードディスクドライブ１５、ネットワークインターフェイス１６及び会話型入出力装置１７に結合されている。図８では、簡単化の為に、複数種のインターフェイスを１つのブロック１２で表している。
【００２０】
ＣＰＵ１１は、インターバルタイマ及び時計の機能を備えている。ＰＲＯＭ１３は、例えばフラッシュメモリであり、ＢＩＯＳが格納されている。ＤＲＡＭ１４は、主記憶装置として用いられる。ハードディスクドライブ１５には、仮想記憶方式のＯＳ、各種ドライバ及びファイル配信アプリケーション並びに各種データが格納されている。ネットワークインターフェイス１６は、ネットワーク４０に結合されている。会話型入出力装置１７は、例えばキーボード、ポインティングデバイス及び表示装置を備えている。
【００２１】
ＰＣ３０ｉの構成要素３１〜３７はそれぞれファイル配信装置１０の構成要素１１〜１７に対応している。ハードディスクドライブ３５には、印刷用データを生成するアプリケーション及びプリンタドライバが格納されている。
【００２２】
図１は、ファイル配信装置１０とＰＣ３０ｉとのファイル配信に関する機能ブロック図である。
【００２３】
各機能ブロックは、コンピュータのハードウェアとソフトウェアとの協働により動作する。
【００２４】
図６は、ユーザＵが画像形成装置２０を操作して原稿画像をスキャンさせることにより、スキャン画像を生成し、そのファイルを、ファイル配信装置１０を介しＰＣ３０ｉに自動配信する処理のシーケンス図である。以下、括弧内は図６中のシーケンスのステップ識別符号である。
【００２５】
（Ｓ１）ユーザは、画像形成装置２０のＩＣカードリーダにＩＣカードをかざすことにより、ユーザＩＤとパスワードとを画像形成装置２０に入力してログインし、操作パネルでスキャン機能を選択し、画像読取りにおけるカラー／モノクロモード、解像度、画像ファイルのフォーマット等の条件を選択し、スキャン開始ボタンを押下する。
【００２６】
（Ｓ２）画像形成装置２０はこれに応答して、選択された条件の下で原稿画像をスキャンし、そのスキャン画像ファイルＧを画像形成装置２０のメモリ上又は補助記憶装置内に生成する。
【００２７】
（Ｓ３）画像形成装置２０は次に、この画像の属性情報として、ログインの際に入力されたユーザＩＤと、画像形成装置２０の識別子（送信元識別子）、例えば型式とシリアル番号の組とを含むメタデータファイルＭを生成する。
【００２８】
（Ｓ４）画像形成装置２０は次に、ＯＳのファイル共有サービスを用いてこれらスキャン画像ファイルＧ及びメタデータファイルＭをファイル配信装置１０内の共有フォルダ１００（図１参照）内へ転送する（投入する）。これにより、共有フォルダ１００内には、スキャン画像ファイル１０１及びメタデータファイル１０２が格納される。
【００２９】
（Ｓ５）フォルダ内監視部１０３は、ＯＳの、バックグラウンドで動作するサービスソフトウェアに含まれるイベント通知機能を介して、共有フォルダ１００内にファイルが投入されたか否かを監視し、ファイルが投入されたことを検出した場合には、それらのファイル名の共通部と拡張子とから、スキャン画像ファイルＧとメタデータファイルＭの組であるか否かを判定する。肯定判定した場合には、解析部１０４に制御を移す。なお、フォルダ内監視部１０３は、インターバルタイマのタイムアップイベントに応答して、共有フォルダ１００内にファイルが投入されたか否かを判定する構成であてもよい。
【００３０】
解析部１０４は、図４に示すように、スキャン画像解析部１０５と、情報解析部１０６と、配信先解析部１０７とを備えている。
【００３１】
（Ｓ６）スキャン画像解析部１０５は、スキャン画像ファイル１０１からファイル名及び画像フォーマット（ファイル名の拡張子）を検出する。
【００３２】
（Ｓ７）情報解析部１０６は、メタデータファイル１０２の内容からユーザＩＤ及び送信元識別子を検出する。
【００３３】
（Ｓ８）解析部１０４は、これらファイル名、画像フォーマット、ユーザＩＤ及び送信元識別子を含む振分条件と、例えば図５に示すような振分条件／振分先対応情報Ｉｎｆｏとから、配信先ＵＲＩを決定し、制御を振り分け部１０８へ移す。この振分条件／振分先対応情報Ｉｎｆｏは、階層構造になっており、例えばＸＭＬファイルで記述することができる。
【００３４】
図５では、ユーザＩＤ（ユーザＩＤ）と送信元識別子とファイルに含まれる文字列とファイルフォーマット名（ファイル拡張子）との組み合わせにより振分先が定まることを示している。空欄は任意であることを示し、また、同一ユーザＩＤの場合、上の行ほど優先順位が高く、上の行から順に振分条件を照合し、最初にマッチした行の振分先が適用される。
【００３５】
例えば、ユーザＩＤが「５０３」、送信元識別子が「ＫＭ６２３５」で、ファイル名に「稟議」が含まれている場合には、振分先がメタデータファイルＡ、Ｂ及びＣと決定され、ユーザＩＤが「５０３」、送信元識別子が「ＫＭ６２３５」で、ファイル名に「稟議」、「報告」及び「設計」のいずれも含まれておらず、ファイルフォーマットが「ＰＤＦ」である場合には、振分先がＦと決定される。
【００３６】
図５中の振分先メタデータファイルＡ〜Ｉはいずれもファイル配信装置１０内の図１に示すフォルダ１０９Ａ若しくはフォルダ１０９ＢのＵＲＩ又はファイル配信装置１０外の共有フォルダＵＲＩであって、例えば、Ａ＝"SMB://192.168.126.162/SCAN/稟議.jpeg/"、Ｅ＝"c:/Design"である。
【００３７】
（Ｓ９）振り分け部１０８は、解析部１０４から受け取ったユーザＩＤ及び配信先アドレスを引数として配信可否決定部１１０に渡し、配信可否決定部１１０は、このユーザＩＤをキーとして配信先受信条件リスト１１１を参照し、このアドレスの配信先へ現時点で配信するか否か及び配信先を変更するか否かを決定し、これを振り分け部１０８に返す。
【００３８】
配信先受信条件リスト１１１は、例えば図４（Ａ）に示すように、ＸＭＬで記述されている。例えばユーザＩＤが５０２の配信先の受信条件は、
<Refusals>
<Refusal Time="10:00-14:00">
<ForwardingAddress>Ichiro.Suzuki@xyz.com</ForwardingAddress>
</Refusal>
<Refusal Time="2010/07/15-2010/7/17">
<ForwardingAddress>Ichiro777@pqr.com</ForwardingAddress>
</Refusal>
</Refusals>
と表され、現時刻が期間10:00-14:00内であれば、配信先をIchiro.Suzuki@xyz.comとすることを示している。この場合、アドレスがメールアドレスであるので、メールに画像ファイルを添付して配信する。また、現時刻が期間2010/07/15-2010/7/17内であればIchiro777@pqr.comへメールで配信することを示している。
【００３９】
この配信先受信条件リスト１１１は、配信可否決定部１１０により更新される。即ち、各ＰＣ３０ｉには、受信条件応答部３０１がサービスプログラムとして常駐しており、配信可否決定部１１０からの受信条件要求に応答して、受信条件データ３０２の内容を配信可否決定部１１０に送信する。配信可否決定部１１０は、この内容で、配信先受信条件リスト１１１内の対応部分を更新する。
【００４０】
受信条件データ３０２には、図４（Ｂ）に示すように、配信先受信条件リスト１１１内のこのユーザＩＤに対応したデータである。このデータにより、図５の配信先を基本としつつ、変動するユーザの事情に応じて配信先を容易に変更することが可能となる。
【００４１】
図２は、配信可否決定部１１０の処理を示す概略フローチャートである。
【００４２】
（ＳＴ０）配信先受信条件リスト１１１を参照して、このユーザＩＤが現時刻において、受信拒否の期間内であるか否かを判定する。現時刻が受信拒否期間内であり且つこの期間内の転送先が配信先受信条件リスト１１１に記述されていれば、この転送先を変数ＦＡに代入し、そうでなければＦＡ＝""とする。受信拒否期間内であればステップＳＴ８へ進み、そうでなければステップＳＴ１へ進む。
【００４３】
（ＳＴ１）受信条件応答部３０１を介して受信条件データ３０２のファイルの属性である更新日時を取得する。
【００４４】
（ＳＴ２）ステップＳＴ１で、受信条件応答部３０１と通信できなかった場合、例えば、ファイル配信先のＰＣ３０ｉがスリープ状態や電源オフの状態となっているためにＰＣ３０ｉとの接続を確立できない場合、又は、通信インターフェイスネットワークインターフェイス３６が故障したり、ＰＣ３０ｉのプログラムが暴走したりして受信条件応答部３０１と通信できなかった場合には、ステップＳＴ１１へ進み、そうでなければステップＳＴ３へ進む。
【００４５】
（ＳＴ３）ステップＳＴ１で取得した更新日時が、配信先受信条件リスト１１１内の対応する更新日時より新しければ、ステップＳＴ４へ進み、そうでなければステップＳＴ７へ進む。図３（Ａ）において、例えば<User ID="502" Update="2010/02/16:13.12.56">は、ユーザＩＤが５０２のデータの更新日時時が、2010/02/16:13.12.56であることを示している。
【００４６】
（ＳＴ４）受信条件応答部３０１を介して、受信条件データ３０２の内容を取得する。
【００４７】
（ＳＴ５）この内容により、配信先受信条件リスト１１１内の対応する部分を更新する。
【００４８】
（ＳＴ６）この内容の受信拒否期間内に現時刻が含まれ且つこの期間内の転送先が配信先受信条件リスト１１１に記述されていれば、この転送先を変数ＦＡに代入し、そうでなければＦＡ＝""とする。この内容の受信拒否期間内に現時刻が含まれていれば、ステップＳＴ８へ進み、そうでなければステップＳＴ７へ進む。
【００４９】
（ＳＴ７）配信可能であることを示す情報を振り分け部１０８へ戻し、図２の処理を終了する。
【００５０】
（ＳＴ８）変数ＦＡが空文字であればステップＳＴ９へ進み、そうでなければステップＳＴ１０へ進む。
【００５１】
（ＳＴ９）配信不可であることを示す情報を振り分け部１０８へ戻し、図２の処理を終了する。
【００５２】
（ＳＴ１０）転送先アドレスを振り分け部１０８に戻し、図２の処理を終了する。
【００５３】
（ＳＴ１１）現時刻から予め定めた時間、例えば３０分間、このユーザＩＤの受信条件が受信拒否であることを示す要素、例えば<Refusal Time="11:02-11:32">を、配信先受信条件リスト１１１の対応する部分に追加し、ステップＳＴ９へ進む。
【００５４】
現時点で配信するとの決定に対し、振り分け部１０８は、前記配信先アドレスのフォルダ内へスキャン画像ファイル１０１を、ＯＳのファイルシステムを介して移動（配信）し、又は、ＳＭＢプロトコルで配信する。配信先変更の決定に対しては、そのメールアドレス等にスキャン画像ファイル１０１を配信する。
【００５５】
（Ｓ１０）振り分け部１０８は、配信が成功した場合、配信先ＰＣ３０ｉのプリンタドライバ３０３に備えられているステータスモニタ３０４に対し、スキャン画像ファイル１０１を共有フォルダ３０５内へ配信したことを示す情報を送信する。この情報送信は、既存のステータスモニタ３０４が用いるプロトコル、例えばＳＯＡＰ、ＳＮＭＰ又は独自のプロトコルで行われる。
【００５６】
例えばＳＮＭＰを用いる場合には、画像形成装置２０は、その状態情報をＰＣ３０Ａ〜３４のうち選択されたものへ送信するＳＮＭＰエージェントを備え、ＰＣ３０Ａ〜３４のステータスモニタ３０４は、画像形成装置２０の状態を受信して自装置の画面にこれを表示するＳＮＭＰマネージャを備えている。また、振り分け部１０８は、InformRequestメッセージを生成してＳＮＭＰプロトコルでステータスモニタ３０４へ送信するＳＮＭＰマネージャを備えている。
【００５７】
（Ｓ１１）ステータスモニタ３０４は、この通知の受信に応答して、そのメッセージの内容を、ＰＣ３０ｉでの画像形成装置に関する状態表示の場合と同様にして、ＰＣ３０ｉの画面上にポップアップ表示する。
【００５８】
（Ｓ１２）振り分け部１０８は、配信可否決定部１１０が配信不可と決定し、又は、配信可否決定部１１０が配信可能と決定し若しくは転送先変更と決定したが配信に失敗した場合、以下の処理を行う。
【００５９】
すなわち、振り分け部１０８は、このスキャン画像ファイル１０１を、非共有フォルダである配信失敗フォルダ１１２へ移動させ、また、スキャン画像ファイル１０１のファイル名と配信先ＵＲＬとユーザＩＤとを含む情報をＤＲＡＭ１４内の再配信バッファ領域に書き込むことにより、再配信情報を再配信部１１３に通知する。
【００６０】
振り分け部１０８は次いで、配信ログファイル１１４に、ファイル配信に失敗（ファイル受信拒否期間内の理由で配信しなかった場合を含む）したこと及びその理由を、スキャン画像ファイル１０１のファイル名と、配信先ＵＲＬととともに記述する。
【００６１】
振り分け部１０８は次いで、再配信部１１３のスレッドを起動させる。
【００６２】
再配信部１１３は、インターパルタイマ１１５のインスタンスを生成して、これを起動させ、処理を中断する。このインスタンス名は、スキャン画像ファイル１０１のファイル名と対応付けられている。このインターバルタイマがタイムアップすると、再配信部１１３による処理が再開され、イベントを発生させたインターバルタイマインスタンスに対応するスキャン画像ファイル１０１を、上記ステップＳ９での処理と同様にして、再配信し、インターパルタイマ１１５を停止させる。
【００６３】
本実施例１によれば、配信先の受信拒否期間を含む受信条件をユーザＩＤと対応付けた配信先受信条件リスト１１１とユーザＩＤと現時点とに基づいて、配信先へ現時点で配信すべきか否かを決定するので、配信先の条件に応じて効率よくスキャン画像ファイル１０１を配信することが可能となるという効果を奏する。
【００６４】
また、配信前に配信先から受信条件を受信してその内容で、配信先受信条件リスト１１１中の対応する受信条件を更新するので、ユーザ毎に変動する受信条件に対応可能であるという効果を奏する。
【００６５】
さらに、配信前に配信先から受信条件を受信できなかった場合、配信先受信条件リスト１１１中の対応する受信条件に、現時点から所定時間を受信拒否期間として追加するので（図２のステップＳ１１）、同一配信先へのデータファイル送信が連続していても、配信失敗処理の繰り返し回数を低減することができるという効果を奏する。
【００６６】
また、受信拒否期間に現時点が含まれていても、転送先アドレスへ配信可能となるという効果を奏する。
【００６７】
以上において、本発明の好適な実施例を説明したが、本発明には他にも種々の変形例が含まれ、上記各構成要素の機能を実現する他の構成を用いたもの、当業者であればこれらの構成又は機能から想到するであろう他の構成も、本発明に含まれる。
【００６８】
例えば、ファイル配信装置１０の機能を画像形成装置２０内に備えて、画像形成装置２０からＰＣ３０ｉへファイルを直接配信する場合にも本発明を適用することができる。
【００６９】
また、配信対象のファイルはスキャナで読み取った画像ファイルに限定されず、ＦＡＸ受信ファイルなどであってもよい。
【符号の説明】
【００７０】
１０  ファイル配信装置
１１、３１  ＣＰＵ
１２、３２  インターフェイス
１３、３３  ＰＲＯＭ
１４、３４  ＤＲＡＭ
１５、３５  ハードディスクドライブ
１６、３６  ネットワークインターフェイス
１７  会話型入出力装置
２０  画像形成装置
３０Ａ〜３０Ｎ、３０ｉ  ＰＣ
４０  ネットワーク
１００、３０５  共有フォルダ
１０１、Ｇ  スキャン画像ファイル
１０２、Ｍ  メタデータファイル
１０３  フォルダ内監視部
１０４  解析部
１０５  スキャン画像解析部
１０６  情報解析部
１０７  配信先解析部
１０８  振り分け部
１０９Ａ、１０９Ｂ  フォルダ
１１０  配信可否決定部
１１１  配信先受信条件リスト
１１２  配信失敗フォルダ
１１３  再配信部
１１４  配信ログファイル
１１５  インターパルタイマ
３０１  受信条件応答部
３０２  受信条件データ
３０３  プリンタドライバ
３０４  ステータスモニタ
Ｉｎｆｏ  振分条件／振分先対応情報
Ｕ  ユーザ
【図１】
2011232932.tif 000003
【図２】
2011232932.tif 000004
【図３】
2011232932.tif 000005
【図４】
2011232932.tif 000006
【図５】
2011232932.tif 000007
【図６】
2011232932.tif 000008
【図７】
2011232932.tif 000009
【図８】
2011232932.tif 000010